(57)【特許請求の範囲】
【請求項１】
Ｘ線撮影装置を用いて被検体の胸部にＸ線を照射し、撮影した胸部Ｘ線画像を表示する画像表示部を備えたＸ線画像表示装置において、
前記画像表示部に表示された前記胸部Ｘ線画像を上部領域、中部領域、下部領域の縦方向に、且つ、前記それぞれの領域の一部が隣接する領域の一部と重複するように３つの領域に分割した３分割胸部Ｘ線画像を生成する分割画像処理部と、前記３つに分割された領域の中から１つの領域を胸部Ｘ線画像選択領域として選択するための領域選択部と、前記選択された胸部Ｘ線画像選択領域を前記画像表示部に表示させる領域選択画像処理部と、前記画像表示部に表示された胸部Ｘ線画像選択領域に対し、拡大表示の指示をする拡大表示指示部と、前記拡大表示指示部によって指示された胸部Ｘ線画像選択領域を拡大した胸部Ｘ線画像拡大領域を前記画像表示部に表示させる拡大表示画像処理部と、を備えること
を特徴とするＸ線画像表示装置。
【請求項２】
前記胸部Ｘ線画像選択領域の輝度に対し、前記領域選択部によって選択されていない胸部Ｘ線画像非選択領域の輝度を低減すること
を特徴とする請求項１に記載のＸ線画像表示装置。
【請求項３】
前記胸部Ｘ線画像拡大領域の輝度に対し、前記領域選択部によって選択されていない胸部Ｘ線画像非選択領域の輝度を低減すること
を特徴とする請求項１記載のＸ線画像表示装置。
【請求項４】
前記拡大表示指示部による拡大指示は、前記画像表示部の画面の回転動作により実施されること
を特徴とする請求項１に記載のＸ線画像表示装置。
【請求項５】
一方は縦長の表示エリアを有し、他方は横長の表示エリアを有する２つの前記画像表示部において、前記縦長の表示エリアを有する画像表示部に前記３分割胸部Ｘ線画像を表示し、前記横長の表示エリアを有する画像表示部に前記胸部Ｘ線画像拡大領域を表示すること
を特徴とする請求項１乃至３の何れか一項に記載のＸ線画像表示装置。
【請求項６】
前記領域選択部はスイッチで構成され、操作者により前記スイッチが押されると前記胸部Ｘ線画像のうち、最初に上部領域が胸部Ｘ線画像選択領域として選択され、操作者により前記スイッチが押されるごとに、胸部Ｘ線画像選択領域が順次隣接する前記胸部Ｘ線画像の中部領域、下部領域へと移行すること
を特徴とする請求項１乃至５の何れか一項に記載のＸ線画像表示装置。
【発明の詳細な説明】
【技術分野】
【０００１】
本発明は、X線撮影装置にて撮影した胸部X線画像を表示するX線画像表示装置に関する。
【背景技術】
【０００２】
胸部X線画像の読影方法の一つに「小三J読影法」(非特許文献1)がある。小三J読影法とは、胸部X線画像の読影に際し、読影者による異常部位の見落としを軽減させるために用いられ、胸部X線画像をそれぞれ「小」の字、「三」の字、「J」の字を書くように目でおって読影する方法である。
【０００３】
また、一般にコンピュータによってモニタ上に表示されたX線画像の一部分を拡大表示したい場合は、マウス等のポインティングデバイスを用いて領域を選択し拡大表示していた。また、その一部拡大領域を元の拡大前のX線画像上に表示する技術はあった(特許文献1)。
【先行技術文献】
【特許文献】
【０００４】
【特許文献１】特開2004-255057号公報
【非特許文献】
【０００５】
【非特許文献１】著：佐藤 雅史、「胸部写真の読み方と楽しみ方(ISBN−10:487962263X)」、秀潤社
【発明の概要】
【発明が解決しようとする課題】
【０００６】
しかしながら特許文献1では、非特許文献1で示した予め決められた関心領域を順に読影し、読影者によって病巣等の疑いがあると判断され該関心領域を拡大表示しようと思った場合、その都度マウス等のポインティングデバイスを用いて領域を選択しなければならいため、健康診断等、複数の被検体を連続して読影する場合は非常に時間を要することとなる。
【０００７】
そこで、本発明の目的は、予め決められた特に上中下部の縦方向に3分割された関心領域を順に読影する胸部X線画像の読影法において、拡大表示を行いたい関心領域を容易に選択し拡大表示することができるX線画像表示装置を提供することである。
【課題を解決するための手段】
【０００８】
X線撮影装置を用いて被検体の胸部にX線を照射し、撮影した胸部X線画像を表示する画像表示部を備えたX線画像表示装置であって、画像表示部に表示された胸部X線画像を上中下部の縦方向に3分割する分割画像処理部と、分割画像処理部によって3分割された3分割胸部X線画像のうち、操作者が所望する領域を選択する領域選択部と、領域選択部によって選択した胸部X線画像選択領域を画像表示部に表示する領域選択画像処理部と、画像表示部に表示された胸部X線画像選択領域に対し、操作者により拡大表示の実施を指示する拡大表示指示部と、拡大表示指示部によって指示された胸部X線画像選択領域を拡大し、該拡大した胸部X線画像拡大領域を画像表示部に表示する拡大表示画像処理部と、を備える。
【発明の効果】
【０００９】
本発明によれば、予め決められた特に上中下部の縦方向に3分割された関心領域を順に読影する胸部X線画像の読影法において、拡大表示を行いたい関心領域を容易に選択し拡大表示することができる。
【図面の簡単な説明】
【００１０】
【図１】実施例1の全体を示すブロック図。
【図２】(a)〜(e)実施例1において画像表示部201に表示される胸部X線画像を示した図の一例。
【図３】実施例2において画像表示部201に表示される胸部X線画像を示した図の一例。
【図４】実施例3において画像表示部401と画像表示部402に表示される胸部X線画像を示した図の一例。
【図５】(a)(b)実施例4において画像表示部501に表示される胸部X線画像を示した図の一例。
【発明を実施するための形態】
【００１１】
以下、添付図面に従って本発明のX線画像表示装置1ついて詳説する。なお、発明の実施形態を説明するための全図において、同一機能を有するものは同一符号を付け、その繰り返しの説明は省略する。図1は、本発明のX線画像表示装置1の構成例を示す図である。
【００１２】
本発明のX線画像表示装置1は、被検体(特に図示しない)にX線を照射しX線画像を撮影するX線撮影装置2又はX線撮影装置2により撮影されたX線画像を保存してあるHIS/RIS3のデータベースからネットワーク4などを介して胸部X線画像を取得し保存または一次的に保存する外部記憶装置102またはメモリ103と、外部記憶装置102またはメモリ103から前記胸部X線画像を読み込む画像処理部104と、画像処理部104によって各種画像処理された胸部X線画像を表示する画像表示部101と、操作者によって画像処理部104による画像処理内容の一部を指示する操作部105と、上記各構成要素を制御する制御部106と、を有する。ここで、HIS(Hospital Information System)とは病院情報システムの略称で、被検体の基本情報などが登録されており、またRIS(Radiology Information System)とは放射線情報システムの略称で、主として放射線科に関連する被検体の基本情報などが登録されている。
【００１３】
画像表示部101は、例えば液晶モニタやCRTモニタ等によって構成される。外部記憶装置102は、例えばHDD(Hard Disk Drive)等によって構成される。画像処理部104は、分割画像処理部107と、領域選択画像処理部111と、拡大表示画像処理部108と、を有し分割画像処理部107は、X線撮影装置2などからネットワーク4及びメモリ103などを介して取得した胸部X線画像を予め決められた上中下部の縦方向に3分割した3分割胸部X線画像を生成し、領域選択画像処理部111は、前記3分割胸部X線画像のうち操作者が所望する胸部X線画像選択領域を示す表示を生成し、拡大表示画像処理部108は、操作者が所望する前記胸部X線画像選択領域を拡大処理し、拡大処理した胸部X線画像拡大領域を画像表示部101に表示する。操作部105は、外部入力装置としてキーボードやマウス(特に図示しない)の他、領域選択スイッチ109と、拡大表示指示スイッチ110と、を有し、領域選択スイッチ109は、分割画像処理部107によって3分割された3分割胸部X線画像のうち、操作者が所望する領域を選択可能にするもので例えば押しボタン式のスイッチ等により形成される。拡大表示指示スイッチ110は、領域選択スイッチ109によって選択した胸部X線画像選択領域に対し、拡大表示の実施を指示するもので、領域選択スイッチ109と同様に押しボタン式のスイッチ等により形成される。
【実施例１】
【００１４】
次に、本発明の実施例1について図1及び図2(a)〜(e)を用いて説明する。
図2(a)〜(e)は実施例1において画像表示部201に表示される胸部X線画像を示した図の一例である。図2(a)〜(e)に示す画像表示部201は、図1で示した画像表示部101の特に横型の表示モニタを示している。
【００１５】
図2(a)に示す画像表示部201には、画像処理部104によってX線撮影装置2などから取得した胸部X線画像202が表示されている。胸部X線画像は一般的に縦長の画像であり、胸部X線画像の縦横比を変えずに本実施例のような横型の表示モニタを用いて表示した場合、胸部X線画像202の横に表示スペース203が生じる。この表示スペース203には胸部X線画像202の撮影情報などが表示されている。
【００１６】
次に、図2(b)に示す画像表示部201には、分割画像処理部107により、胸部X線画像202を予め決められた上部206、中部207、下部208の縦方向に3分割した3分割胸部X線画像204が表示されている。
【００１７】
3分割胸部X線画像204は、胸部X線画像202上に領域分割線205を重畳表示したものある。3分割胸部X線画像204の表示に際しては、分割画像処理部107が胸部X線画像202の画像情報から胸部X線画像と判断し3分割胸部X線画像204を表示する。また、画像表示部201に表示された胸部X線画像202を見て、操作者が操作部105のキーボードなどを用いて分割画像処理部107に3分割胸部X線画像204を表示するように指示することも可能である。
【００１８】
次に、図2(c)に示す画像表示部201には、分割画像処理部111により3分割胸部X線画像204のうち操作者が所望する胸部X線画像選択領域209が表示されている。胸部X線画像選択領域209は図2(c)に示すように3分割胸部X線画像204上に枠線が重畳表示される。操作者は領域選択スイッチ109を操作することで画像表示部201に所望の胸部X線画像選択領域209を表示することが可能であり、具体的には、画像表示部201に3分割胸部X線画像204を表示させた段階(図2(b))で、領域選択スイッチ109を一度押すと、3分割胸部X線画像204のうち上部206を胸部X線画像選択領域209として表示する。操作者は領域選択スイッチ109を押すごとに胸部X線画像選択領域209が中部207、下部208の順で移動する。
【００１９】
図2(d)では、図2(c)の段階でさらに操作者によって領域選択スイッチ109が押された場合の胸部X線画像選択領域209を示した図である。胸部X線画像選択領域209は、図2(d)で示した上部206から中部207に移動している。胸部X線画像選択領域209が下部208の場合、さらに領域選択スイッチ109を押すと、胸部X線画像選択領域209が上部206に移動する。操作者(読影医)は再度、領域選択スイッチ109によって移動する胸部X線画像選択領域209に沿って3分割胸部X線画像204を読影することで、異常部位などの有無の診断に集中することができ、見逃しを軽減することができる。
【００２０】
また、胸部X線画像選択領域209の輝度に対し、領域選択スイッチ109によって選択されていない胸部X線画像非選択領域、図2(d)の場合、上部206と下部208の輝度を低減することにより、胸部X線画像選択領域209の読影に集中することができ、操作者(読影医)による異常部位などの有無の診断の正確性を高めることができる。本実施例では、胸部X線画像選択領域209が表示された段階で操作者(読影医)による読影を行なっているが図2(b)の段階で行なっても領域分割線205によって胸部X線画像202が3分割されているので、分割された領域毎に読影を開始してもよい。
【００２１】
次に、図2(ｅ)に示す画像表示部201には、拡大表示画像処理部108により操作者が所望した胸部X線画像選択領域209を拡大した胸部X線画像拡大領域210が表示されている。操作者は拡大表示指示スイッチ110を操作することで画像表示部201に胸部X線画像選択領域209を拡大した胸部X線画像拡大領域210を表示することが可能であり、具体的には、画像表示部201に胸部X線画像選択領域209を表示させた段階で、拡大表示指示スイッチ110を一度押すと、胸部X線画像選択領域209を拡大した胸部X線画像拡大領域210が画像表示部201に表示される。
【００２２】
図2(e)は、図2(d)の段階で胸部X線画像選択領域209と指定された中部207を拡大表示している。本実施例の場合、胸部X線画像拡大領域210は、領域選択スイッチ109によって選択されていない胸部X線画像非選択領域及び、胸部X線画像202の撮影情報などが表示されている表示スペース203の一部に重畳するように表示される。胸部X線画像拡大領域210が画像表示部201に表示された段階で、再度拡大表示指示スイッチ110を押すと、元の胸部X線画像選択領域209に戻る。操作者(読影医)は胸部X線画像選択領域209内に異常と思われる部位を発見した際は、拡大表示指示スイッチ110を用いて胸部X線画像拡大領域210を表示することができるため、容易に拡大した画像での読影を可能にする。この場合も、胸部X線画像拡大領域210の輝度に対し、領域選択スイッチ109によって選択されていない胸部X線画像非選択領域の輝度を低減することにより、胸部X線画像拡大領域210の読影に集中することができ、操作者(読影医)による異常部位などの有無の診断の正確性を高めることができる。
【００２３】
以上、本実施例のX線画像表示装置1によれば、予め決められた上中下部の縦方向に3分割された関心領域を順に読影する胸部X線画像の読影法において、拡大表示を行いたい関心領域を容易に選択し拡大表示することができる。これにより特に健康診断等、複数の被検体を連続して読影する場合などは、読影時間の短縮が可能となる。
【実施例２】
【００２４】
次に、本発明の実施例2について、図3を用いて説明する。また、実施例1と異なる点について説明する。
【００２５】
図3に示す画像表示部201には、図2(b)で示したものと同様の3分割胸部X線画像204が表示されている。但し、図2(b)と異なる箇所は、領域分割線205の数が2本から4本と2倍になっている点である。これは、隣接する上部、中部、下部のそれぞれの領域で重複部を設けているためである。
【００２６】
各領域分割線をそれぞれ領域分割線300a、300b、300c、300d、とすると領域分割線300bより上の胸部X線画像が上部301、領域分割線300aと、領域分割線300dに挟まれた胸部X線画像が中部302、領域分割線300cより下の胸部X線画像が下部303であり、上部301と中部302間に重複部304が、中部302と下部303間に重複部305が設けられている。特に図示はしないが、上部が胸部X線画像選択領域209として表示された際は、胸部X線画像選択領域209内に表示されている領域分割線300aは表示されない。これにより操作者(読影医)による読影の妨げにならない。また、胸部X線画像拡大領域210は実施例1と同様に行なわれる。また、重複部305の割合は、胸部X線画像選択領域209の縦横比率を変えることなく最も大きく胸部X線画像拡大領域210を表示することができるサイズに設定されることが好ましい。これは後述する実施例3においても同様である。
【００２７】
以上、本実施例のX線画像表示装置1によれば、3分割した3分割胸部X線画像のそれぞれ隣接する領域にて重複部を有することで、それぞれの境界における読影に際してもより正確に行なうことができる。
【実施例３】
【００２８】
次に、本発明の実施例3について、図4を用いて説明する。また、実施例1，2と異なる点について説明する。
図4には、画像表示部401と画像表示部402の2つの画像表示部を図示している。画像表示部401は縦型の表示モニタであり、画像表示部402は実施例1，2で示した表示モニタと同様の横型の表示モニタである。
【００２９】
本実施例において実施例1，2と異なる箇所は、3分割胸部X線画像204、及び胸部X線画像選択領域209を表示する画像表示部401と、胸部X線画像拡大領域210を表示する画像表示部402と、の2つの画像表示部を備えている点である。図4では、縦型の表示モニタである画像表示部401に縦に長い3分割胸部X線画像204を表示し、横型の表示モニタである画像表示部402に横に長い胸部X線画像拡大領域210を表示している。表示する画像の縦横サイズに適した表示モニタをそれぞれ備えることで表示領域を有効に利用した各種画像を用いて操作者(読影医)は読影することができる。表示領域を有効に利用しているため不必要に大きな表示モニタを用いることなく、より大きな画像で読影することができる。
【００３０】
以上、本実施例のX線画像表示装置1によれば、縦に長い3分割胸部X線画像204、及び胸部X線画像選択領域209を表示する縦型の表示モニタ、画像表示部401と、横に長い胸部X線画像拡大領域210を表示する横型の表示モニタ、画像表示部402と、を備えることで、各種画像をより大きな表示で、且つ不必要に大きな表示モニタを用いる必要が為、画像表示部の設置スペースを小さく押さえることができる。
【実施例４】
【００３１】
次に、本発明の実施例4について、図5(a)(b)を用いて説明する。また、実施例1，2と異なる点について説明する。
図5(a)(b)に示す画像表示部501はそれぞれ同一のもので、画像表示部501は回転部(特に図示しない)を備えており、前記回転部により表示部を回転し縦型モニタ及び横型モニタとしてそれぞれ使用することができる。
【００３２】
図5(a)には縦型モニタとして使用した際の画像表示部501を図5(b)には横型モニタとして使用した際の画像表示部501をそれぞれ示している。また、画像表示部501は実施例1で示した拡大表示指示スイッチ110と同一の機能を有した拡大表示指示スイッチ502を備えており画像表示部501の回転により拡大表示指示スイッチ502が押される。つまり、図5(a)に表示していた胸部X線画像選択領域209が画像表示部501の回転に伴い胸部X線画像拡大領域210が図5(b)のように表示される。
【００３３】
以上、本実施例のX線画像表示装置1によれば、回転部と、回転部の動作に連動した拡大表示指示スイッチ502を備えた長方形の表示領域を備えた一つの画像表示部501のみで、適宜、その表示領域の縦横比に応じた各種画像を表示することが可能なため、より大きな各種画像表示で操作者(読影医)は読影することができ、更に画像表示部の設置スペースをより小さく押さえることができる。
【符号の説明】
【００３４】
1  X線画像表示装置、2  X線撮影装置、3  HIS/RIS、4  ネットワーク、101  画像表示部、102  外部記憶装置、103  メモリ、104  画像処理部、105  操作部、106  制御部、107  分割画像処理部、108  拡大表示画像処理部、109  領域選択スイッチ、110、502  拡大表示指示スイッチ、111  領域選択画像処理部、201、401、402、501  画像表示部、202  胸部X線画像、203  表示スペース、204  3分割胸部X線画像、205、300a、300b、300c、300d  領域分割線、206、301  上部、207、302  中部、208、303  下部、209  胸部X線画像選択領域、210  胸部X線画像拡大領域、304、305  重複部
【図１】
0005789369.tif 000002
【図２】
0005789369.tif 000003
【図３】
0005789369.tif 000004
【図４】
0005789369.tif 000005
【図５】
0005789369.tif 000006